(57)【要約】【課題】問題無く異物の回収、除去ができるシート材搬送装置を提供する。【解決手段】記録媒体であるシート材を挟持して搬送する搬送手段２１を有するシート材搬送装置において、シート材から搬送手段２１に転移した異物を除去する異物除去手段４０を備え、この異物除去手段４０によって除去された異物を回収する異物回収部４１を、異物除去を必要とする搬送手段２１近傍に有し、異物回収部４１に折り返し部４０ａを含んでいる。【選択図】図２
2008174367.tif 000002
【特許請求の範囲】
【請求項１】
記録媒体であるシート材を挟持して搬送する搬送手段を有するシート材搬送装置において、前記シート材から前記搬送手段に転移した異物を除去する異物除去手段と、該異物除去手段によって除去した異物を回収する異物回収部と、前記異物回収部内に前記異物除去手段を保持する保持部材と、前記異物回収部内に設けられる折り返し部と、を備えることを特徴とするシート材搬送装置。
【請求項２】
前記折り返し部は、前記異物除去手段、及び前記異物回収部とは別体に設けられることを特徴とする請求項１記載のシート材搬送装置。
【請求項３】
前記搬送手段は、レジストローラであることを特徴とする請求項１記載のシート材搬送装置。
【請求項４】
前記搬送手段は、転写ベルトであることを特徴とする請求項１記載のシート材搬送装置。
【請求項５】
前記搬送手段は、搬送ベルトであることを特徴とする請求項１記載のシート材搬送装置。
【請求項６】
前記異物回収部は脱着可能に構成され、前記異物回収部は、取り付け時に異物を回収する開口部が開成し、取り外し時に前記開口部が閉成するように可動する可動部を備えていることを特徴とする請求項１記載のシート材搬送装置。
【請求項７】
前記可動部が、前記異物除去手段であることを特徴とする請求項６記載のシート材搬送装置。
【請求項８】
感光体上に形成したトナー画像を記録媒体に転写する画像形成装置において、請求項１乃至７のいずれか１項記載のシート材搬送装置を備えることを特徴とする画像形成装置。
【請求項９】
原稿を自動的に搬送して読み取る自動原稿送り装置において、請求項１乃至７のいずれか１項記載のシート材搬送装置を備えることを特徴とする自動原稿送り装置。
【発明の詳細な説明】
【技術分野】
【０００１】
本発明は、ＰＰＣ、レーザビムプリンタ、ファクシミリ、スキャナ装置等の画像形成装置に使用するシート材搬送装置、このシート材搬送装置を備えた画像形成装置及び自動原稿送り装置に関するものである。
【背景技術】
【０００２】
従来、複写機やプリンタ等の画像形成装置は、多様なサイズ及び紙種に対応した機種が一般的である。かかる画像形成装置は海外紙など紙種によっては紙粉等の異物が発生し易い記録紙にも対応する必要がある。
そうした要求に対し、画像形成装置においては、ローラ又はベルトに設けた紙粉や廃トナー等の異物除去手段が広く用いられている。例えば、画像形成装置内の像形成体上におけるトナー像の形成と同期して作動し、転写手段による転写が行われる転写位置に記録紙を搬送するレジストローラにおいて、記録紙からレジストローラに転移する紙粉を除去する異物除去手段が知られている（特許文献１参照）。
【特許文献１】特開平０７−０２５５０３号公報
【発明の開示】
【発明が解決しようとする課題】
【０００３】
しかしながら、かかる従来技術においても、紙粉の多い用紙を搬送する際には回収した紙粉が溢れ出し用紙に付着してしまうといった問題や、溜まった紙粉を取り除く際に紙粉がこぼれてしまうという問題があった。
除去手段により回収された紙粉や廃トナーといった異物は回収部に溜まっていくが、紙粉の多い紙のように異物の発生の多い環境の場合、回収部内には収まりきらず溢れることや、回収部を脱着できる構成のときには脱着時、傾けた時に異物がこぼれることが考えられる。
また、折り返し部が回収部と逆側に折り返されている場合、除去手段により回収された異物が折り返し部の上に溜まってしまうことや回収された異物が傾けられ、こぼれそうになった時異物を抑えることができないことが考えられる。
そこで、本発明の目的は、上述した実情を考慮して、異物を回収した際にも問題無く異物の回収、除去ができるシート材搬送装置及びこれを用いたＰＰＣ、プリンタ、ファクシミリ等の画像形成装置を提供することにある。
【課題を解決するための手段】
【０００４】
上記の課題を解決するために、請求項１に記載の発明は、記録媒体であるシート材を挟持して搬送する搬送手段を有するシート材搬送装置において、前記シート材から前記搬送手段に転移した異物を除去する異物除去手段と、該異物除去手段によって除去した異物を回収する異物回収部と、前記異物回収部内に前記異物除去手段を保持する保持部材と、前記異物回収部内に設けられる折り返し部と、を備えるシート材搬送装置を特徴とする。
また請求項２に記載の発明は、前記折り返し部は、前記異物除去手段、及び前記異物回収部とは別体に設けられる請求項１記載のシート材搬送装置を特徴とする。
また請求項３に記載の発明は、前記搬送手段が、レジストローラである請求項１記載のシート材搬送装置を特徴とする。
また請求項４に記載の発明は、前記搬送手段が、転写ベルトである請求項１記載のシート材搬送装置を特徴とする。
また請求項５に記載の発明は、前記搬送手段が、搬送ベルトである請求項１記載のシート材搬送装置を特徴とする。
【０００５】
また請求項６に記載の発明は、前記異物回収部は脱着可能に構成され、前記異物回収部は、取り付け時に異物を回収する開口部が開成し、取り外し時に前記開口部が閉成するように可動する可動部を備えている請求項１記載のシート材搬送装置を特徴とする。
また請求項７に記載の発明は、前記可動部が、前記異物除去手段である請求項６記載のシート材搬送装置を特徴とする。
また請求項８に記載の発明は、感光体上に形成したトナー画像を記録媒体に転写する画像形成装置において、請求項１乃至７のいずれか１項記載のシート材搬送装置を備える画像形成装置を特徴とする。
また請求項９に記載の発明は、原稿を自動的に搬送して読み取る自動原稿送り装置において、請求項１乃至７のいずれか１項記載のシート材搬送装置を備える自動原稿送り装置を特徴とする。
【発明の効果】
【０００６】
本発明によれば、異物回収部に折り返し部を備えることによりこの異物回収部に一度落ちた異物が溜まり、異物回収部から溢れ出そうとしても折り返し部に抑えられ、また、異物を装置から除去する際、異物回収部の交換や取り外す時にこの異物回収部を傾けても異物がこぼれ出すことを防止することができる。
本発明によれば、シート材搬送装置において除去された異物を回収する異物回収部は取り外せる構成を有し、この異物回収部の取り外しの際には折り返し部を異物回収部４１とともに取り外せる構成とした。折り返し部を取り外せる異物回収部側に備えることにより、異物回収部の脱着の際に、この異物回収部を傾けても異物をこぼすことなく脱着することができる。
【発明を実施するための最良の形態】
【０００７】
以下、図面を参照して、本発明の実施形態を詳細に説明する。図１は本発明のシート搬送装置を搭載する画像形成装置の全体構成を示す概略正面図である。
図１に示すように、画像形成装置１は、原稿の原稿面から画像を読み取って各種の用紙に複写画像を形成するモノクロ複写機である。
この複写機は、読み取った原稿画像に基づいて所定に画像形成処理する画像形成装置本体２、この画像形成装置本体２を載置して、この本体に記録用シート・ＯＨＰフィルムなどの記録媒体である用紙Ｓを１枚ずつ供給する給紙装置を備えている。また、画像形成装置本体２上に取り付けられかつ原稿画像を読み取ってこの原稿画像情報を画像形成装置本体２に送出する原稿読み取り装置４を有している。
画像形成装置本体２の上部には排紙トレイ９が設置され、給紙装置３から排紙トレイ９に至るまで用紙Ｓを移動させる経路としての搬送路Ｒ１が形成されている。この搬送路Ｒ１の大部分は略垂直方向に延在され、かつ搬送路Ｒ１上には、最小サイズの用紙Ｓに応じた所定間隔を確保して搬送ローラ対やコロ対などによって構成した幾つかの用紙（シート材）搬送手段が設けられている。
【０００８】
上述の搬送路Ｒ１上の用紙Ｓを、いずれかの用紙搬送手段が挟持などによって必ず搬送し続けるようにしており、さらに給紙装置３には、この給紙装置３の各段に収容された用紙を搬送路Ｒ１に送給するための用紙搬送装置５が設置されている。
この画像形成装置本体２内は、その搬送路Ｒ１の途中に、感光体ユニット１０と定着装置１１とが順次配置されている。この搬送路Ｒ１上を搬送されてくる用紙Ｓに対して、感光体ユニット１０が、その生成したトナー像を転写する。
その後、定着装置１１が、その転写されたトナー像を用紙Ｓに定着して、トナー像が定着された用紙Ｓを、搬送路Ｒ１の末端に位置した排紙トレイ９に排出するようにしている。
感光体ユニット１０は、像担持体である単一のドラム状感光体１０Ａを有しており、この感光体１０Ａは、所定径の円筒形状に形成され、水平軸を中心にして回転可能に支持されている。
この感光体１０Ａは、感光体ユニット１０又は画像形成装置本体２のいずれかに設けたモータなどの駆動源（図示せず）から回転駆動力が伝達されて、所定の回転方向に安定した一定速度で回転駆動されるようになっている。
【０００９】
また、感光体ユニット１０の周囲かつ左回り方向に進む順序で、現像装置１２、転写装置１３、感光体クリーニング装置、除電装置、帯電装置等が配置されている。
感光体の反時計回りの回転方向におけるその１回転の範囲内に、これらの各装置それぞれによって、その上流から下流に渡って順次、現像位置、転写位置、クリーニング位置、除電位置、帯電位置が設定される。
さらに、帯電位置と現像位置との間には、潜像形成位置が設定され、この潜像形成位置に所定のレーザ光を照射して、画像情報に応じた不可視の潜像を書き込むための露光装置１５が、感光体ユニット１０からやや離れた斜め下方に配置されている。
そして、感光体１０Ａが反時計方向に回転駆動されるとともに、この感光体１０Ａの回転に同期して各装置、及び露光装置１５が、それぞれ所定の連係した協働動作により、一連の画像形成処理を実行するようにしている。
即ち、現像装置１２は、その表面からトナー粒子を放射状に立設させたトナーブラシを生成する現像ローラなどの適宜の構成を有している。上述の画像形成処理により、潜像は感光体１０Ａ表面上の所定箇所に生成されかつ感光体１０Ａの回転に伴い周上を移動して現像位置を通過する。
この時、現像装置１２は、この潜像に対して、トナーブラシ先端のトナー粒子を付着させ、不可視の潜像をモノクロのトナー像で可視像化するようにしている。
【００１０】
転写装置１３は、略上下方向に所定の距離に離間させて対向配置された２つの支持ローラとこれらの支持ローラに張架された転写ベルト１７とで構成されている。感光体１０Ａ外周表面上のトナー像を用紙Ｓに転写し、この未定着のトナー像が転写された用紙Ｓを上方に搬送するようにしている。
即ち、下方の支持ローラは、その転写ベルト１７を巻回した部分が、感光体１０Ａの略右斜め下方箇所に圧接されて、感光体１０Ａ表面と転写ベルト１７とが接した箇所に、転写位置が設定されている。また、上方の支持ローラは、定着装置１１の導入口の手前に配置されている。
感光体クリーニング装置１８は、感光体１０Ａ上のクリーニング位置に、その先端のブレードエッジが所定圧を確保して当接するように構成された図示しないブレード材か、感光体クリーニング位置に接して感光体１０Ａの回転に従動回転する回転ブラシ（図示せず）のいずれか、又は両方の構成を有し、転写後の感光体１０Ａ表面に残留したトナーや異物などを除去するようにしている。
除電装置は、図示はしてないが所定強度の発光が可能なランプを主体に構成されている。このランプから除電位置に、除電用の光を照射して、除電位置を通過する感光体１０Ａ表面上の帯電状態を解除し、転写位置を通過した後の感光体１０Ａの表面電位を、初期状態に復帰させるようにしている。
【００１１】
なお、図１中の符号２０は、所定量の新品トナーを収容したトナーボトルなどからなるトナー収納容器を示している。このトナー収納容器２０から現像装置１２まで、図示しないトナー搬送経路が形成されている。現像装置１２がこの現像装置１２内のトナーを現像用に消費して不足した場合には、トナー収納容器２０から新品トナーを現像装置１２に補充するようにしている。
画像形成装置本体２の下には、読み取る原稿のサイズに応じて自動的に、又は使用者の手動設定によって用紙サイズを択一的に選択可能にした給紙装置３が設けられている。即ち、この給紙装置３は、複数の給紙トレイ５１を多段に配置して収納し、各給紙トレイ５１には、互いに異なる紙種としてそれぞれ各種サイズおよび用紙搬送方向に対して縦横の向きにした用紙Ｓが、複数枚積層して収納されている。
原稿読み取り装置４は、その読み取り装置本体の上面における所定範囲がコンタクトガラス５７で形成され、読み取り装置本体内に、コンタクトガラス５７面上の所定範囲を走査対象にして光学的に画像を読み取って取得する読み取り手段が収納されている。
この読み取り手段は、少なくとも、第１走行体、第２走行体、結像レンズ５５、読み取りセンサ５６から構成されている。また、コンタクトガラス５７をカバーした閉止位置と開放した開放位置に開閉可能に構成された原稿押さえ板５８が、読み取り装置本体の上面に配置されている。
即ち、この原稿押さえ板５８は、コンタクトガラス５７よりも大きな縦横寸法が確保され、その一端が図示しないヒンジで読み取り装置本体の上面に枢支されている。
このように構成された複写機１では、原稿をコピーする時、原稿読み取り装置４の原稿押さえ板５８を、その閉止位置から開放位置に、使用者が手動で開くようにしている。
【００１２】
原稿読み取り装置４のコンタクトガラス５７上に原稿をセットし、次に原稿押さえ板５８を閉じる方向に手動操作する。この原稿押さえ板５８によって、コンタクトガラス５７上にセットした原稿を上方から押える。
即ち、これによって、原稿面を正確に読み取り可能なように、コンタクトガラス５７に原稿を密着させて平面状に広げ、かつこのコンタクトガラス５７上に原稿を固定する。
そして、複写機１に予め備えられた図示しない操作画面部に設置されたスタートスイッチを使用者がオン操作すると、直ちに原稿読み取り装置４の読み取り動作が開始され、図示しない駆動機構によって第１走行体および第２走行体が走行される。
第１走行体の光源５３から光が原稿に向けて照射され、この原稿面からの反射光が第２走行体に向かう。この反射光が第２走行体のミラー５４で反射されて結像レンズ５５を介して光学的な読み取りセンサ５６に入力され、この結果、読み取りセンサ５６によって、原稿面の画像などが読み取られる。
【００１３】
また、上記したようにスタートスイッチがオン操作されると、感光体ユニット１０の感光体１０Ａが回転を開始して、その感光体１０Ａ上に、読み取った原稿画像に基づき、トナー像を形成する動作を開始する。
即ち、感光体１０Ａの回転に伴って、この感光体１０Ａ外周表面の所定箇所が、順次、帯電装置、露光装置１５、現像装置１２、転写装置１３、感光体クリーニング装置１８、除電装置がそれぞれ設定した各位置を通過する。それにより、順次、所定の帯電状態に帯電され、潜像が生成され、トナー像に可視像化される。
このトナー像が用紙Ｓに転写されてから、残留トナーが除去され、帯電状態が解除されて１サイクルが完了する。形成する画像サイズに応じて、回転方向における外周表面の所定長さの範囲にトナー像を生成するように、そのサイクルが所定期間にわたって持続される。
【００１４】
他方、上記したスタートスイッチの押下により、給紙装置３内の自動又は手動選択された用紙Ｓを収納した給紙段（給紙トレイ）５１から、この給紙段に付随した用紙搬送装置５によって、１枚の用紙Ｓが所定経路を介して給紙路Ｒ１に搬送される。
この用紙Ｓは、搬送コロなどによって画像形成装置本体２内の搬送路Ｒ１上を略上方に向けて搬送され、レジストローラ２１に突き当たって一旦停止する。
他方、手差し給紙の場合には、手差しトレイ６７上にセットされた用紙Ｓが、まず、手差しトレイ用の給紙ローラ６７Ｂの回転により繰り出される。複数枚積層してセットされた際には、手差しトレイ用の分離ローラ６７Ａによって１枚に分離されて、手差し給紙路Ｒ２に搬送される。
この手差し給紙路Ｒ２から給紙路Ｒ１に搬送され、最後にレジストローラ２１に突き当たって一旦停止する。そして、レジストローラ２１は、回転駆動された感光体１０Ａ上のトナー像の相対移動に合わせた正確なタイミングで回転を開始し、一旦停止した用紙Ｓを転写位置に送り込む。この結果として、この用紙Ｓ上に転写装置１３によりトナー像が転写される。
【００１５】
未定着のモノクロトナー画像が転写された用紙Ｓは、搬送路Ｒ１の一部を形成した転写装置１３の転写ベルト１７によって定着装置１１へ搬送される。この定着装置１１が所定の範囲で熱と圧力とを加えることによりトナー画像が用紙Ｓ上に定着される。
このようにしてトナー画像が定着された用紙Ｓは、切り換え爪３４により排紙トレイ９に至る搬送路Ｒ１に案内され、排出ローラ３７、３８により排紙トレイ９上に排出されて、この排紙トレイ９上にスタックされる。
また、使用者の設定入力によって、両面コピーモードが選択されている時には、片面に画像を定着した用紙Ｓを切り換え爪３４により用紙反転装置３１側に搬送する。この用紙反転装置３１内に、所定の位置に配置した複数のローラ対６６や図示しないガイド部材によって、所定位置に予め形成した反転搬送路Ｒ３上を往復移動させる。
用紙Ｓ面の上下向きを反転させてから、この用紙Ｓを感光体ユニット１０よりも手前に位置した箇所から搬送路Ｒ１に復帰させる。この搬送路Ｒ１上を搬送されて再び転写位置へ導かれ、今度は用紙Ｓの裏面に画像を転写しかつ定着した後に、排出ローラ３７、３８によって排紙トレイ９上に最終的に排出される。
【００１６】
図２は画像形成装置内に配置された本発明のシート材搬送装置の第１の実施形態を示す拡大概略図である。例えば、図１の画像形成装置１において、レジストローラ２１に、異物（紙粉）除去手段として、このレジストローラ２１に接触するようにマイラ４０が設置されている。このマイラ４０は保持部材４２に支持されている。
また、紙粉除去手段４０とともに紙粉回収部４１を持ち、この紙粉回収部４１は取り外せる構成となっている。異物除去手段であるマイラ４０は紙粉回収部４１内に折り返し部４０ａを有しており、この折り返し部４０ａは紙粉回収部４１側に傾いている。この紙粉回収部４１の取り外しの際には折り返し部４０ａは紙粉回収部とともに取り外すことのできる構成となっている。
紙粉回収部４１に折り返し部４０ａを設けることにより、紙粉回収部４１に一度落ちた異物が溜まり、この紙粉回収部４１から溢れ出そうとしても折り返し部４０ａに抑えられ、また異物を装置から除去する際、紙粉回収部４１の交換や取り外す時に紙粉回収部４１を傾けても異物がこぼれ出すことを防止することができる。
折り返し部４０ａを回収した異物が蓄積する部分に向いた方向である紙粉回収部４１側に傾いた構成とすることで、異物が折り返し部４０ａを越えて溢れることを防止することができる。
紙粉回収部４１に折り返し部４０ａを有する構成とするために少なくとも紙粉除去手段となる部材（マイラ）４０を折り返すことでこれを実現し、簡単な部品構成を達成できる。
また、紙粉回収部４１を搬送手段であるレジストローラ２１近傍に配置しているので、レジストローラ２１に付着した紙粉を回収する際の紙粉の溢れ出しやこぼれを防止することができる。
【００１７】
図３は画像形成装置内に配置されたシート材搬送装置の第２の実施形態を示す拡大概略図である。例えば、図１の画像形成装置において、レジストローラ２１に、異物（紙粉）除去手段として、レジストローラ２１に接触するようにマイラ０が配置されている。
また、紙粉除去手段とともに紙粉回収部４１を備え、この紙粉回収部４１は取り外せる構成となっている。異物除去手段であるマイラ４０の保持部材である板金４２は、紙粉回収部４１内に、折り返し部４２ａを持っており、この折り返し部４２ａは紙粉回収部４１側に傾いている。
このように、折り返し部４２ａを少なくとも異物（紙粉）除去手段４０の保持部材４２に備える構成としたので、簡単な部品構成で、また、異物除去手段４０の部材を制限することなくシート材搬送装置を実現することができる。
【００１８】
図４は画像形成装置内に配置されたシート材搬送装置の第３の実施形態を示す拡大概略図である。例えば、図１の画像形成装置１において、レジストローラ２１に、異物（紙粉）除去手段として、レジストローラ２１に接触するようにマイラ４０が配置されている。
また、紙粉除去手段４０とともに紙粉回収部４１を有し、この紙粉回収部４１は取り外せる構成となっている。紙粉回収部４１内にマイラ４０の保持部材４２に折り返し部となる追加部材４３を備えており、折り返し部４３は紙粉回収部４１側に傾いている。
このように、折り返し部４３を紙粉除去手段の部材４０、保持部材４２とは別部材として備える構成とすることで、簡単な部品構成で、また、紙粉除去手段４０、この紙粉除去手段４０の保持部材４２を制限することなくシート材搬送装置を実現することができる。
【００１９】
図５は画像形成装置内に配置されたシート材搬送装置の第４の実施形態を示す拡大概略図である。例えば、図１の画像形成装置において、転写ベルト１７に異物（廃トナー）除去手段としてこの転写ベルト１７に接触するようにウレタンフォーム４４が設置されている。
また、異物除去手段４４とともに廃トナー回収部４５を有している。この廃トナー回収部４５内に、異物除去手段であるウレタンフォーム４４を適宜保持する保持部材４６に折り返し部となる追加部材４６ａを有しており、折り返し部４６ａは廃トナー回収部４５側に傾いている。
このように、シート材搬送手段である転写ベルト１７近傍に廃トナー回収部４５を設けたので、転写ベルト１７に付着した紙粉やトナー等の異物を回収する際の溢れ出しやこぼれを防止することができる。
【００２０】
図６は画像形成装置内に配置されたシート材搬送装置の第５の実施形態を示す拡大概略図である。例えば、図１の画像形成装置においてグリップローラは搬送ローラ（第２搬送手段）７と搬送ベルト（ベルト搬送手段）８によりシート材を挟持する構成となっている。
搬送ベルト８には異物（紙粉）除去手段としてこの搬送ベルト８に接触するようにマイラ４０が設置されており、また、紙粉除去手段４０とともに紙粉回収部４１を備えている。
搬送ベルト８はプーリ８ａ、８ｂに架け渡されている。この紙粉回収部４１内においてマイラ４０の保持部材４７に折り返し部となる追加部材４７ａを備えており、折り返し部４７ａは紙粉回収部４１側に傾いている。
【００２１】
図７は画像形成装置内に配置されたシート搬送装置の第６の実施形態を示す拡大概略図である。図８は図７のシート搬送装置の第６の実施形態の紙粉回収部を取り外した状態示す拡大概略図である。
図７及び図８を参照して、例えば、図１の画像形成装置において、レジストローラ２１に異物（紙粉）除去手段としてこのレジストローラ２１に接触するようにマイラ４０が設置されている。また、紙粉除去手段４０とともに紙粉回収部４１を備え、この紙粉回収部４１は取り外せる構成となっている。
紙粉回収部４１には、セット時は異物（紙粉）が回収される開口部４１ｄが開き、脱着する際にはこの開口部４１ｄを閉じる可動部４１ｃを有している。この可動部４１ｃは取り外し時には開口部４１ｄを閉じるように収まっている。しかし、セット時には本体側の固定部材（搬送路の側板からの突き出し、レジストローラ周辺のステーなど）４８に突き当たり押し上げられて開口部４１ｄを開口する。
このように、シート材搬送装置において除去された異物を回収する異物回収部４１は取り外せる構成を有し、この異物回収部４１の取り外しの際には折り返し部４１ａを異物回収部４１とともに取り外せる構成とした。
折り返し部４１ａを、取り外せる異物回収部側に備えることにより、異物回収部４１の脱着の際にこの異物回収部４１を傾けても異物をこぼすことなく脱着することができる。
【００２２】
図９は画像形成装置内に配置されたシート搬送装置の第７の実施形態を示す拡大概略図である。図１０は図９のシート搬送装置の第７の実施形態の紙粉回収部を取り外した状態示す拡大概略図である。
図７及び図８を参照して、例えば、図１の画像形成装置１において、レジストローラ２１に、異物（紙粉）除去手段としてこのレジストローラ２１に接触するようにマイラ４０が設置されている。また、紙粉除去手段であるマイラ４０とともに紙粉回収部４９を備え、この紙粉回収部４９は取り外せる構成となっている。
紙粉回収部４９には、セット時に、異物（紙粉）が回収される開口部４９ｄが開いており、脱着する際にはこの開口部４９ｄを閉じる可動部４９ｃを有している。この可動部４９ｃは、第６の実施形態とは異なり、紙粉回収部４９の下方に配置されている。
紙粉回収部４９において、異物除去手段であるマイラ４０は、セット時には本体側のレジストローラ２１の下方の固定部材（搬送路の側板からの突き出し、レジストローラ周辺のステーなど）５０に突き当たる。
それによりマイラ４０はレジストローラ２１に対して加圧されている。しかし、脱着する際には加圧が解除され、マイラ４０により開口部４９ｄが閉じる構成となっている。
このように、異物回収部４９の脱着の際に可動する可動部４９ｃを異物除去部材とすることによって、これにより部品を追加することなく簡単な構成で、それに加え異物除去手段４０を異物回収部４９内に納めることにより異物除去手段４０を取り外している状態でもこの異物除去手段４０を破損することを防止することができる。
【００２３】
図１の画像形成装置１は、装置全体の基本構成、動作は上述した実施形態と同じにして、複写機、プリンタ、ファクシミリ等であってもよい。また、図１の画像形成装置１において、原稿押さえ板５８の上部に配置される図示してない自動原稿送り装置（ＡＤＦ）においても使用することができる。
即ち、図１の画像形成装置１とは異なり、原稿押さえ板５８を取り除いて、その位置に、原稿を載置し、この原稿を自動的に搬送して読み取る自動原稿送り装置（ＡＤＦ）が配置される場合、原稿を搬送するシート搬送装置として本発明によるシート搬送装置を使用すれば好都合に異物（紙粉）を除去することができる。
【図面の簡単な説明】
【００２４】
【図１】本発明のシート材搬送装置を搭載する画像形成装置の全体構成を示す概略正面図である。
【図２】画像形成装置内に配置された本発明のシート材搬送装置の第１の実施形態を示す拡大概略図である。
【図３】画像形成装置内に配置されたシート材搬送装置の第２の実施形態を示す拡大概略図である。
【図４】画像形成装置内に配置されたシート材搬送装置の第３の実施形態を示す拡大概略図である。
【図５】画像形成装置内に配置されたシート材搬送装置の第４の実施形態を示す拡大概略図である。
【図６】画像形成装置内に配置されたシート材搬送装置の第５の実施形態を示す拡大概略図である。
【図７】画像形成装置内に配置されたシート材搬送装置の第６の実施形態を示す拡大概略図である。
【図８】図７のシート材搬送装置の第６の実施形態の紙粉回収部を取り外した状態を示す拡大概略図である。
【図９】画像形成装置内に配置されたシート材搬送装置の第７の実施形態を示す拡大概略図である。
【図１０】図９のシート材搬送装置の第７の実施形態の紙粉回収部を取り外した状態を示す拡大概略図である。
【符号の説明】
【００２５】
１…画像形成装置（複写機、プリンタ、ファクシミリ）、２…画像形成装置本体、３…給紙装置、４…原稿読み取り装置、５…搬送手段（用紙搬送装置）、６…搬送手段（第１搬送手段）、７…搬送手段（第２搬送手段）、８、１７…搬送手段（搬送ベルト）、８ａ、８ｂ…プーリ、１０Ａ…感光体、１１…定着装置、１２…現像装置、１３…転写装置、２１…搬送手段（レジストローラ）、４０…異物（紙粉）除去手段（マイラ）、４０ａ…折り返し部（マイラの１部分）、４１…異物（紙粉）回収部、４２…保持部材（板金）、４２ａ…折り返し部、４３…追加部材（折り返し部）、４４…ウレタンフォーム（廃トナー除去手段）、４５…異物（廃トナー）回収部、４６…保持部材、４６ａ…折り返し部、４７…保持部材、４７ａ…追加部材（折り返し部）、４８…固定部材（ガイド板、ステー）、５０…固定部材（ガイド板、ステー）、５１…給紙トレイ、６７…手差しトレイ、Ｒ１…主搬送路、Ｒ２…手差し給紙用の搬送路、Ｒ３…反転搬送路、ＡＤＦ…自動原稿送り装置、Ｓ…用紙（記録媒体、シート材）
【図１】
2008174367.tif 000003
【図２】
2008174367.tif 000004
【図３】
2008174367.tif 000005
【図４】
2008174367.tif 000006
【図５】
2008174367.tif 000007
【図６】
2008174367.tif 000008
【図７】
2008174367.tif 000009
【図８】
2008174367.tif 000010
【図９】
2008174367.tif 000011
【図１０】
2008174367.tif 000012